【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
少なくとも１つのディスプレイと、
少なくとも１つのユーザ入力装置と、
少なくとも１つの前記ディスプレイ及び少なくとも１つの前記ユーザ入力装置と動作可能に接続された電子プロセッサと、
非一時的記録媒体と
を備える画像読影ワークステーションであって、前記非一時的記録媒体は、
少なくとも１つの前記ユーザ入力装置を介して受信したユーザ入力に従って、少なくとも１つの前記ディスプレイ上での医療画像の表示、表示された前記医療画像の操作、所見オブジェクトの生成、及び画像検査所見報告書の作成を含む動作を実行するように、前記電子プロセッサによって読取可能且つ実行可能である画像読影環境命令と、
少なくとも１つの前記ユーザ入力装置を介した前記所見オブジェクトの生成、又は前記所見オブジェクトのユーザ選択を検出するように、前記電子プロセッサによって読取可能且つ実行可能である所見オブジェクト検出命令と、
少なくとも１つの電子患者記録から、前記所見オブジェクト検出命令によって検出された前記所見オブジェクトに関連する患者情報を識別して読み出すように、前記電子プロセッサによって読取可能且つ実行可能である患者記録読出命令と、
少なくとも１つの前記ディスプレイ上に、前記患者記録読出命令によって読み出された前記患者情報を表示するように、前記電子プロセッサによって読取可能且つ実行可能である患者記録表示命令と
を格納し、
前記患者記録読出命令の実行は、前記所見オブジェクト検出命令を実行することによって前記所見オブジェクトの生成又はユーザ選択を検出することで自動的にトリガされ、
前記患者記録表示命令の実行は、前記患者記録読出命令を実行することによって前記所見オブジェクトに関連する前記患者情報を読み出すことで自動的にトリガされる、画像読影ワークステーション。
【請求項２】
前記非一時的記憶媒体は、前記所見オブジェクトを患者情報項目にマッピングする、関連する患者情報ルックアップテーブルをさらに格納し、
前記患者記録読出命令は、関連する前記患者情報ルックアップテーブルを参照することにより、前記所見オブジェクトに関連する前記患者情報を識別して読み出すように、前記電子プロセッサによって実行可能である、請求項１に記載の画像読影ワークステーション。
【請求項３】
前記非一時的記憶媒体は、
少なくとも１つの前記ユーザ入力装置を介した、表示された前記患者情報とのユーザ対話に機械学習を適用することにより、関連する前記患者情報ルックアップテーブルを更新するように、前記電子プロセッサによって読取可能且つ実行可能である関連性学習命令をさらに格納する、請求項２に記載の画像読影ワークステーション。
【請求項４】
前記患者記録表示命令はさらに、前記患者記録読出命令によって読み出され、表示された前記患者情報の、少なくとも１つの前記ユーザ入力装置を介した選択を検出し、少なくとも１つの前記電子患者記録から読み出された、対応する情報源の文書を表示するように、前記電子プロセッサによって読取可能且つ実行可能である、請求項１から３のいずれか一項に記載の画像読影ワークステーション。
【請求項５】
前記画像読影環境命令は、少なくとも１つの前記ユーザ入力装置を介した、表示された前記医療画像の画像特徴のユーザ選択、及び少なくとも１つの前記ユーザ入力装置とグラフィカルユーザインタフェースダイアログとの対話を介した少なくとも１つの所見の注釈の入力を含む操作によって、構造化形式の前記所見オブジェクトを生成するように実行可能であり、
前記所見オブジェクト検出命令は、前記構造化形式の前記所見オブジェクトを検出し、前記構造化形式の前記所見オブジェクトを、医療オントロジを使用して自然言語の単語又はフレーズに変換するように、前記電子プロセッサによって実行可能である、請求項１から４のいずれか一項に記載の画像読影ワークステーション。
【請求項６】
前記画像読影環境命令は、少なくとも１つの前記ユーザ入力装置とグラフィカルユーザインタフェースダイアログとの対話を介した所見コードのユーザ選択によって、前記所見オブジェクトを生成するように実行可能であり、
前記所見オブジェクト検出命令は、前記所見コードの生成又はユーザ選択を検出するように、前記電子プロセッサによって実行可能である、請求項１から４のいずれか一項に記載の画像読影ワークステーション。
【請求項７】
前記患者記録表示命令はさらに、前記患者記録読出命令によって読み出された前記患者情報を、少なくとも１つの前記ユーザ入力装置を介して受信したユーザ入力に従って、前記画像検査所見報告書にコピーするように、前記電子プロセッサによって読取可能且つ実行可能である、請求項１から６のいずれか一項に記載の画像読影ワークステーション。
【請求項８】
前記画像読影環境命令は、少なくとも１つの前記ユーザ入力装置を介して受信したユーザ入力に従って、表示された前記医療画像の少なくともパン及びズームを含む操作を行うように実行可能である、請求項１から７のいずれか一項に記載の画像読影ワークステーション。
【請求項９】
少なくとも１つのディスプレイ及び少なくとも１つのユーザ入力装置と動作可能に接続された電子プロセッサによって読取可能且つ実行可能な、画像読影方法を実行するための命令を格納する非一時的記憶媒体であって、前記画像読影方法は、
少なくとも１つの前記ユーザ入力装置を介して受信したユーザ入力に従って、少なくとも１つの前記ディスプレイ上での医療画像の表示、表示された前記医療画像の操作、所見オブジェクトの生成、及び画像検査所見報告書の作成を含む動作を実行するために、画像読影環境を提供するステップと、
前記所見オブジェクトの生成又はユーザ選択を検出するために、前記画像読影環境を監視するステップと、
少なくとも１つの電子患者記録から、生成された又はユーザによって選択された前記所見オブジェクトに関連する患者情報を識別し、読み出すステップと、
読み出された前記患者情報を、少なくとも１つの前記ディスプレイ上、及び前記画像読影環境内に表示するステップと
を有し、
前記患者情報を識別し、読み出すステップは、生成された又はユーザによって選択された前記所見オブジェクトの検出によってトリガされ、
読み出された前記患者情報を表示するステップは、前記患者情報の読出しによってトリガされる、非一時的記憶媒体。
【請求項１０】
前記所見オブジェクトを患者情報項目にマッピングする、関連する患者情報ルックアップテーブルをさらに格納し、前記患者情報を前記識別し、読み出すステップは、関連する前記患者情報ルックアップテーブルを参照することにより動作する、請求項９に記載の非一時的記憶媒体。
【請求項１１】
前記画像読影方法は、少なくとも１つの前記ユーザ入力装置を介した、表示された前記患者情報とのユーザ対話に機械学習を適用することにより、関連する患者情報ルックアップテーブルを更新するステップをさらに有する、請求項９又は１０に記載の非一時的記憶媒体。
【請求項１２】
読み出された前記患者情報を表示するステップは、
選択され表示された前記患者情報の、少なくとも１つの前記ユーザ入力装置を介した選択を検出するステップと、
少なくとも１つの前記電子患者記録から読み出され、選択され表示された前記患者情報を含む、情報源の文書を表示するステップと
をさらに有する、請求項９から１１のいずれか一項に記載の非一時的記憶媒体。
【請求項１３】
前記画像読影環境は、少なくとも１つの前記ユーザ入力装置を介した、表示された前記医療画像の画像特徴のユーザ選択、及び、グラフィカルユーザインタフェースダイアログと対話する少なくとも１つの前記ユーザ入力装置を介した少なくとも１つの所見の注釈の入力を含む動作によって、注釈画像マークアップ（ＡＩＭ）形式の前記所見オブジェクトを生成し、
前記所見オブジェクトの生成又はユーザ選択を検出するために、前記画像読影環境を監視するステップは、前記ＡＩＭ形式の前記所見オブジェクトを検出するステップ、及び前記ＡＩＭ形式の前記所見オブジェクトを、医療オントロジを使用して自然言語の単語又はフレーズに変換するステップを有する、請求項９から１２のいずれか一項に記載の非一時的記憶媒体。
【請求項１４】
前記画像読影環境は、少なくとも１つの前記ユーザ入力装置とグラフィカルユーザインタフェースダイアログとの対話を介した所見コードのユーザ選択によって、前記所見オブジェクトを生成し、
前記所見オブジェクトの生成又はユーザ選択を検出するために、前記画像読影環境を監視するステップは、前記所見コードの生成又はユーザ選択を検出するステップを有する、請求項９から１２のいずれか一項に記載の非一時的記憶媒体。
【請求項１５】
前記画像読影環境によって提供された、表示された前記医療画像の前記操作は、少なくとも１つの前記ユーザ入力装置を介して受信したユーザ入力に従う、表示された前記医療画像の少なくともパン及びズームを含む、請求項９から１４のいずれか一項に記載の非一時的記憶媒体。